(57)【要約】      （修正有）【課題】プログラム書き込み治具を提供する。【解決手段】プログラム書き込み治具１００は、デジタルコマンドを出力するためのＤＩＰスイッチ１１０と、デジタルコマンドに応じてデータ信号を生じて複数のドライバ３００〜３０９に伝送するためのプロセッサ１２０と、起動されると、前記ドライバがデータ信号を前記ドライバのそれぞれのメモリ３１０〜３１９にプログラミングするように、トリガ信号を前記ドライバに伝送するトリガ素子１３０と、を備え、プロセッサ１２０は、デジタルコマンドに応じてデータ信号を検索するための対照表を含む。【選択図】図１
0003211776.tif 000002
【実用新案登録請求の範囲】
【請求項１】
デジタルコマンドを出力するためのＤＩＰスイッチと、
前記デジタルコマンドに応じてデータ信号を生じて複数のドライバに伝送するためのプロセッサと、
起動されると、前記ドライバが前記データ信号を前記ドライバのそれぞれのメモリにプログラミングするように、トリガ信号を前記ドライバに伝送するトリガ素子と、を備え、
前記プロセッサは、前記デジタルコマンドに応じて前記データ信号を検索するための対照表を含むプログラム書き込み治具。
【請求項２】
前記プロセッサは、前記ドライバのそれぞれがプログラミングの完了時に伝送されたフィードバック信号を受信することに用いられる請求項１に記載のプログラム書き込み治具。
【請求項３】
前記ドライバにそれぞれ対応し、且つ前記ドライバのそれぞれが伝送された前記フィードバック信号に応じて前記ドライバのそれぞれがプログラミングを完了したか否かを表示する複数のプログラミング表示灯を更に備える請求項２に記載のプログラム書き込み治具。
【請求項４】
前記プログラム書き込み治具に電源が入ったか否かを表示するための電源表示灯を更に備える請求項１乃至請求項３のいずれか１項に記載のプログラム書き込み治具。
【請求項５】
電力を前記プログラム書き込み治具に提供するように、電源に接続される電源コネクタを更に備える請求項１乃至請求項４のいずれか１項に記載のプログラム書き込み治具。
【請求項６】
前記ドライバが電源に接続される場合、前記プログラム書き込み治具の電力は前記ドライバによって提供される請求項１乃至請求項５のいずれか１項に記載のプログラム書き込み治具。
【請求項７】
前記プロセッサは、前記対照表に対して設定及び更新を行うためのファームウェア更新ユニットを更に備える請求項１乃至請求項６のいずれか１項に記載のプログラム書き込み治具。
【請求項８】
前記データ信号が生じる場合、前記データ信号は、前記プログラム書き込み治具及び前記ドライバに同期的に一時記憶される請求項１乃至請求項７のいずれか１項に記載のプログラム書き込み治具。
【請求項９】
前記データ信号は、プログラミング電流値に対応する電圧信号である請求項１乃至請求項８のいずれか１項に記載のプログラム書き込み治具。
【請求項１０】
前記ドライバにそれぞれ接続される複数のチャンネルを更に備える請求項１乃至請求項９のいずれか１項に記載のプログラム書き込み治具。
【考案の詳細な説明】
【技術分野】
【０００１】
本考案は、プログラム書き込み治具に関し、特に一対多的にプログラム書き込みをするプログラム書き込み治具に関する。
【背景技術】
【０００２】
発光ダイオードは、低エネルギー損失、長寿命、優れた物理的耐久性、小サイズ及び高スイッチング速度などの数多くの利点を有する。近年、発光ダイオードは、広く応用されている。
【考案の概要】
【考案が解決しようとする課題】
【０００３】
しかしながら、発光ダイオードを正常に作動させるためには、対応する駆動電圧及び駆動電流を提供するための駆動装置を必要とする。なお、異なる発光ダイオードに対して異なる駆動電圧及び／又は駆動電流を提供する必要もある。駆動装置の製造において、一回で一台の駆動装置だけにプログラム書き込みをすると、多くの時間がかかる。
【０００４】
このため、出力電流のプログラミングにかかる時間を節約するために、駆動装置の製造において出力電流を一対多的にいかに速くプログラミングするかが、本分野において改善される必要がある問題の一つとなる。
【課題を解決するための手段】
【０００５】
本考案の一態様は、プログラム書き込み治具を提供する。このプログラム書き込み治具は、デジタルコマンドを出力するためのＤＩＰスイッチと、デジタルコマンドに応じてデータ信号を生じ、データ信号を複数のドライバに伝送するためのプロセッサと、起動されると、前記ドライバがデータ信号を前記ドライバのそれぞれのメモリにプログラミングするように、トリガ信号を前記ドライバに伝送する、トリガ素子と、を備える。プロセッサは、デジタルコマンドに応じてデータ信号を検索するための対照表を含む。
【０００６】
一部の実施例において、前記プロセッサは、前記ドライバのそれぞれがプログラミングの完了時に伝送されたフィードバック信号を受信することに用いられる。
【０００７】
一部の実施例において、前記ドライバにそれぞれ対応して、前記ドライバのそれぞれが伝送された前記フィードバック信号に応じて前記ドライバのそれぞれがプログラミングを完了したか否かを表示する複数のプログラミング表示灯を備える。
【０００８】
一部の実施例において、前記プログラム書き込み治具に電源が入ったか否かを表示するための電源表示灯を更に備える。
【０００９】
一部の実施例において、電力を前記プログラム書き込み治具に提供するために、電源に接続される電源コネクタを更に備える。
【００１０】
一部の実施例において、前記ドライバが電源に接続される場合、前記プログラム書き込み治具の電力は、前記ドライバによって提供される。
【００１１】
一部の実施例において、前記プロセッサは、前記対照表に対して設定及び更新を行うためのファームウェア更新ユニットを更に備える。
【００１２】
一部の実施例において、前記データ信号が生じる場合、前記データ信号は、前記プログラム書き込み治具及び前記ドライバに同期的に一時記憶される。
【００１３】
一部の実施例において、前記データ信号は、プログラミング電流値に対応する電圧信号である。
【００１４】
一部の実施例において、前記ドライバにそれぞれ接続される複数のチャンネルを更に備える。
【００１５】
このため、本考案の技術態様によれば、本考案の実施例は、プログラム書き込み治具、特に、一対多的にプログラム書き込みをするプログラム書き込み治具を提供することによって、電流を速くプログラミングして、製品の歩留まりを向上させる。
【図面の簡単な説明】
【００１６】
下記図面の簡単な説明は、本考案の上記または他の目的、特徴、メリット、実施例をより分かりやすくするためのものである。
【図１】本考案のいくつかの実施例によるプログラム書き込み治具を示す模式図である。
【図２】本考案のいくつかの実施例によるプログラム書き込み治具を示す模式図である。
【考案を実施するための形態】
【００１７】
以下で本考案の異なる特徴を実施するために数多くの異なる実施例又は例を開示して提供する。特殊な例における素子及び配置は、以下の検討では本考案を簡単化することに用いられる。検討される任意の例は、解釈するためのものだけであり、任意の方式で本考案又はその例の範囲及び意味を限定することがない。なお、本考案は、異なる例において番号記号且つ／又はアルファベットを繰り返して引用することがあり、これらの繰り返しが簡単化及び叙述するためのものだけであり、そのものが以下の検討では異なる実施例且つ／又は配置の間の関係を指定することがない。
【００１８】
全体の明細書と実用新案登録請求に用いられる用語（ｔｅｒｍｓ）は、特に明記される以外、通常、用語ごとにこの分野、この開示の内容と特殊内容に使用される一般的な意味を持つ。当業者へ本開示に関する記述における規定外の案内を提供するように、本開示を記述するためのある用語について、以下又はこの明細書の別所で検討する。
【００１９】
本文に用いられる「結合」又は「接続」とは、何れも２つ又は複数の素子が互いに直接的に実体又は電気的に接触し、又は互いに間接的に実体又は電気的に接触することを指してもよく、「結合」又は「接続」とは、２つ又は複数の素子が互いに操作し又は動作することを指してもよい。
【００２０】
本文で、各種の素子、アセンブリ、領域、層及び／又はブロックを説明するための第１の、第２の及び第３のなどの言葉を使用することが理解される。しかし、これらの素子、アセンブリ、領域、層及び／又はブロックがこれらの用語によって限定されるべきではない。これらの言葉は、単一の素子、アセンブリ、領域、層及び／又はブロックを区別することだけに用いられる。このため、以下の第１の素子、アセンブリ、領域、層及び／又はブロックは、本考案の本質から逸脱しない限り、第２の素子、アセンブリ、領域、層及び／又はブロックとも呼ばれることができる。本文に記載されるように、「及び／又は」の言葉は、挙げられた項目の中の１つ又は複数の任意の組み合わせを含む。本考案の書類で言及した「及び／又は」とは、挙げられた素子の任意の１つ、全部又は少なくとも１つの任意の組み合わせを指す。
【００２１】
図１は、本考案のいくつかの実施例によるプログラム書き込み治具１００を示す模式図である。プログラム書き込み治具１００は、ＤＩＰスイッチ１１０、プロセッサ１２０及びトリガ素子１３０を備える。上記プログラム書き込み治具１００は、複数のドライバ３００〜３０９に同時に電気的に接続されてもよい。図１に示すようなプログラム書き込み治具１００は、例示だけであり、且つ図１に示すようなドライバ３００〜３０９の数も例示の目的のみであり、本考案はこれに限定されない。
【００２２】
出力電流をドライバ３００〜３０９にプログラミングする時に、ＤＩＰスイッチ１１０は、デジタルコマンドをプロセッサ１２０に出力する。プロセッサ１２０は、デジタルコマンドに応じてデータ信号を生じてプログラム書き込み治具１００に電気的に接続される複数のドライバ３００〜３０９に出力する。本考案のいくつかの実施例において、データ信号が生じる場合、データ信号は、プログラム書き込み治具１００及び複数のドライバ３００〜３０９に同期的に一時記憶される。トリガ素子１３０が起動する際に、トリガ素子１３０は、トリガ信号を複数のドライバ３００〜３０９に伝送して、ドライバ３００〜３０９は、データ信号をドライバ３００〜３０９のそれぞれのメモリ３１０〜３１９に互いに対応するようにプログラミングする。
【００２３】
プロセッサ１２０には、デジタルコマンド及び対応するデータ信号を含む対照表が、記憶される。本考案のいくつかの実施例において、データ信号は、プログラミング電流値に対応する電圧信号である。例えば、デジタルコマンド００００は電圧信号０Ｖに対応し、電圧信号０Ｖはさらにプログラミング電流値０．７６Ａに対応する。デジタルコマンド１１１１は電圧信号５Ｖに対応し、電圧信号５Ｖはさらにプログラミング電流値２Ａに対応する。以上のようなデジタルコマンド、電圧信号及びプログラミング電流値の対応関係は例示の目的でするものであり、本考案は、これに限定されない。デジタルコマンド００００を生じるように、上記ＤＩＰスイッチ１１０が００００にスイッチングされ、又はデジタルコマンド１１１１を生じるように、１１１１にスイッチングされ、その他のものはこれによって類推される。
【００２４】
本考案のいくつかの実施例において、プロセッサ１２０の対照表には、デジタルコマンド及び対応するデータ信号（例えば電圧信号）が記憶される。ドライバ３００〜３０９のメモリ３１０〜３１９には、電圧信号及び電圧信号に対応するプログラミング電流値が記憶される。ドライバ３００〜３０９は、電圧信号をドライバ３００〜３０９のそれぞれのメモリ３１０〜３１９にプログラミングした後に、メモリ３１０〜３１９に記憶された電圧信号に応じて出力電流値を設定することができる。
【００２５】
本考案のいくつかの実施例において、ドライバ３００〜３０９は、プログラミングの完了時に、フィードバック信号をプロセッサ１２０に伝送する。つまり、一旦プログラミングを完了すると、プロセッサ１２０は、ドライバ３００〜３０９のそれぞれが伝送されたフィードバック信号を受信する。図１に示すように、プログラム書き込み治具１００は、それぞれドライバ３００〜３０９に対応し、ドライバ３００〜３０９のそれぞれが伝送されたフィードバック信号に応じてドライバ３００〜３０９のそれぞれがプログラミングを完了したか否かを表示する複数のプログラミング表示灯１５０〜１５９を更に含む。例えば、ドライバ３００は、プログラミングの完了時に、フィードバック信号をプロセッサ１２０に伝送し、ドライバ３００がプログラミングを完了したことを表示するために、ドライバ３００に対応するプログラミング表示灯１５０が発光する。例えば、ドライバ３００がプログラミングを完了したことを表示するために、プロセッサ１２０は、ドライバ３００に対応するプログラミング表示灯１５０をオンにするように制御する。
【００２６】
図１に示すように、本考案のいくつかの実施例において、プログラム書き込み治具１００は、電力をプログラム書き込み治具１００に提供するように、プログラム書き込み治具電源４００に接続される電源コネクタ１６０を更に備える。
【００２７】
図１に示すように、本考案のいくつかの実施例において、プログラム書き込み治具１００は、プログラム書き込み治具１００に電源が入ったか否かを示すための電源表示灯１７０を更に備える。例えば、電源コネクタ１６０がプログラム書き込み治具電源４００に接続される場合、プログラム書き込み治具１００に電源が入ったことを表示するために、電源表示灯１７０が、発光する。
【００２８】
図１に示すように、本考案のいくつかの実施例において、プロセッサ１２０は、対照表に対して設定及び更新を行うためのファームウェア更新ユニット１２２を更に備える。
【００２９】
図１に示すように、本考案のいくつかの実施例において、プログラム書き込み治具１００は、ドライバ３００〜３０９にそれぞれ接続される複数のチャンネル１４０〜１４９を更に備える。
【００３０】
図２を参照されたい。図２は、本考案のいくつかの実施例によるプログラム書き込み治具１００を示す模式図である。図２と図１とが類似であるが、異なる点は、図１に示すプログラム書き込み治具１００がプログラム書き込み治具電源４００に接続されるが、図２に示すプログラム書き込み治具１００がプログラム書き込み治具電源４００に接続されず、且つドライバ３００がドライバ電源５００に接続される点のみである。図２に示すように、本考案のいくつかの実施例において、ドライバ３００〜３０９のうち一つがドライバ電源５００に接続される場合、プログラム書き込み治具１００の電力は、ドライバ電源５００に接続されるドライバ３００〜３０９によって提供することができる。つまり、プログラム書き込み治具１００がプログラム書き込み治具電源４００に接続されなくても、ドライバ３００〜３０９のうち一つがドライバ電源５００に接続されると、ドライバ３００〜３０９によって電力をプログラム書き込み治具１００に提供することもできる。図２に示すようなプログラム書き込み治具１００は、例示の目的のみであり、且つ図２に示すようなドライバ３００がドライバ電源５００に接続されることは、例示の目的のみであり、本考案はこれらに限定されない。
【００３１】
注意すべきことは、本考案のいくつかの実施例において、ドライバ３００〜３０９にデータ信号（例えば電圧信号）がプログラミングされた場合、通常の使用者は、プログラミングされた電圧信号及び／又はプログラミングされた出力電流値を変更することができない。
【００３２】
本考案のいくつかの実施例において、ＤＩＰスイッチ１１０は、デジタルコマンド出力機能又はその他の同様な機能を有する装置又は回路であってもよい。本考案のいくつかの実施例において、プロセッサ１２０は、演算、記憶又はその他の同様な機能を有する装置又は回路であってもよい。本考案のいくつかの実施例において、ファームウェア更新ユニット１２２は、ファームウェアの更新／設定又はその他の同様な機能を有する装置又は回路であってもよい。本考案のいくつかの実施例において、トリガ素子１３０は、トリガ機能又はその他の同様な機能を有する装置又は回路であってもよい。本考案のいくつかの実施例において、電源表示灯１７０及びプログラミング表示灯１５０は、表示／発光又はその他の同様な機能を有する装置又は回路であってもよい。本考案のいくつかの実施例において、チャンネル１４０〜１４９は、その他の装置に接続する機能又はその他の同様な機能を有する装置又は回路であってもよい。本考案のいくつかの実施例において、電源コネクタ１６０は、電源に接続する機能又はその他の同様な機能を有する装置又は回路であってもよい。本考案のいくつかの実施例において、ドライバ３００〜３０９は、発光ダイオードを駆動する機能又はその他の同様な機能を有する装置又は回路であってもよい。
【００３３】
上記の本考案の実施形態から分かるように、本考案の実施例は、プログラム書き込み治具、特に、一対多的にプログラム書き込みをするプログラム書き込み治具を提供することによって、電流を速くプログラミングして、製品の歩留まりを向上させる。
【００３４】
本考案は実施形態を前述の通りに開示したが、これは本考案を限定するものではなく、当業者であれば、本考案の精神と範囲から逸脱しない限り、多様の変更や修飾を加えることができる。従って、本考案の保護範囲は、下記実用新案登録請求の範囲で指定した内容を基准とするものである。
【符号の説明】
【００３５】
１００  プログラム書き込み治具
１１０  ＤＩＰスイッチ
１２０  プロセッサ
１２２  ファームウェア更新ユニット
１３０  トリガ素子
１４０〜１４９  チャンネル
１５０〜１５９  プログラミング表示灯
１６０  電源コネクタ
１７０  電源表示灯
３００〜３０９  ドライバ
３１０〜３１９  メモリ
４００  プログラム書き込み治具電源
５００  ドライバ電源
【図１】
0003211776.tif 000003
【図２】
0003211776.tif 000004